(57)【特許請求の範囲】
【請求項１】
第１の色度を有する第１のＬＥＤの組と、前記第１の色度とは異なる第２の色度を有する第２のＬＥＤの組とを含む、第１の端子と第２の端子の間に結合されて直列に接続された発光ダイオード（ＬＥＤ）のストリングであって、前記第１及び第２のＬＥＤの組は、ほぼ重複する出力スペクトルと、それぞれの第１及び第２の異なる色度範囲に含まれる色度とを有する、ストリングと、
前記ストリングに動作可能に結合され、前記第１の端子と前記第２の端子の間を通る総電流の変化に応答して、前記ストリングの前記第１及び第２のＬＥＤの組を通るそれぞれの電流を差別的に変化させることにより、前記ストリングによって生じる色温度を変化させて、前記色温度を黒体軌跡に一致させるように構成された制御回路と、
を備え、
前記制御回路は、前記総電流に応答して、前記第１の照明デバイスの組を避けて前記第２の組に対して差別的に電流を迂回させるように構成されたバイパス回路を含む、
ことを特徴とする照明装置。
【請求項２】
前記バイパス回路は、前記総電流が減少するにつれて前記色温度が減少するように、前記総電流に応答して、前記第１のＬＥＤの組を避けて前記第２のＬＥＤの組に対して差別的に電流を迂回させるように構成される、
ことを特徴とする請求項１に記載の装置。
【請求項３】
前記バイパス回路は、前記第１のＬＥＤの組の少なくとも１つのＬＥＤと並列に結合された少なくとも１つの抵抗器、可変抵抗回路、及び／又はスイッチング回路を含む、
ことを特徴とする請求項１に記載の装置。
【請求項４】
前記第１のＬＥＤの組は、第１の青色寄りの黄色（ＢＳＹ）ＬＥＤの組を含み、前記第２のＬＥＤの組は、第２のＢＳＹ  ＬＥＤの組を含む、
ことを特徴とする請求項１に記載の装置。
【請求項５】
前記ストリングは、前記第１及び第２のＢＳＹ  ＬＥＤの組と直列に結合された赤色ＬＥＤの組をさらに含む、
ことを特徴とする請求項４に記載の装置。
【請求項６】
前記制御回路は、調光器制御入力信号に応答して前記総電流を制御するようにさらに構成される、
ことを特徴とする請求項１に記載の装置。
【請求項７】
前記制御回路は、前記色温度を黒体軌跡の少なくとも１０段階マクアダム楕円内に一致させるように構成される、
ことを特徴とする請求項１に記載の装置。
【請求項８】
前記制御回路は、前記総電流の第１の範囲にわたってほぼ一定の色温度をもたらし、前記総電流の第２の範囲にわたって前記色温度を前記黒体軌跡に一致させるように構成される、
ことを特徴とする請求項１に記載の装置。
【請求項９】
前記制御回路は、前記総電流に応答して、前記複数のＬＥＤによって生じる色温度を、約８０％よりも高い演色評価数（ＣＲＩ）を維持しながら約３５００Ｋ〜約１８００Ｋの範囲にわたって変化させるように構成される、
ことを特徴とする請求項１に記載の装置。
【請求項１０】
前記直列に接続されたＬＥＤのストリングは、少なくとも３つの異なる色度を有するＬＥＤを含み、
前記制御回路は、調光制御入力に応答して、前記直列に接続されたＬＥＤのストリングによって生じる色温度を、約８０％よりも高い演色評価数（ＣＲＩ）を維持しながら約５０００Ｋ〜約２０００Ｋの範囲にわたって変化させるように構成される、
ことを特徴とする請求項１に記載の装置。
【請求項１１】
前記制御回路は、調光制御入力に応答して、前記第１及び第２の発光デバイスの組を差別的に動作させるように構成される、
ことを特徴とする請求項１に記載の装置。
【請求項１２】
前記第１及び第２の発光デバイスの組は、第１の端子と第２の端子の間に直列に接続され、前記制御回路は、前記第１の端子と前記第２の端子の間を通る総電流に応答して、前記第１及び第２のＬＥＤの組を通る電流を差別的に変化させるように構成される、
ことを特徴とする請求項１に記載の装置。
【請求項１３】
前記制御回路は、前記色温度を白熱灯の挙動に近似するように変化させるよう構成される、
ことを特徴とする請求項１に記載の装置。
【発明の詳細な説明】
【技術分野】
【０００１】
本発明は、照明装置及び方法に関し、具体的には、固体照明装置及び方法に関する。
【背景技術】
【０００２】
多くの照明用途には、固体照明アレイが使用されている。例えば、建築照明及び／又はアクセント照明における直接照明源として、固体発光デバイスのアレイを含む固体照明パネルが使用されてきた。例えば、固体発光デバイスは、１又はそれ以上の発光ダイオード（ＬＥＤ）を含むパッケージ発光デバイスを含むことができ、ＬＥＤは無機ＬＥＤを含むことができ、無機ＬＥＤは、ｐ−ｎ接合部及び／又は有機ＬＥＤ（ＯＬＥＤ）を形成する半導体層を含むことができ、ＯＬＥＤは有機発光層を含むことができる。
【０００３】
可視光は、多くの異なる波長の光を含むことができる。可視光の見掛けの色は、図１に示す１９３１国際照明会議（ＣＩＥ）色度図及び１９７６ＣＩＥ  ｕ´ｖ´色度図などの２次元色度図を参照して示すことができ、この１９７６ＣＩＥ  ｕ’ｖ’色度図は１９３１図に類似するが、１９７６ｕ’ｖ’  ＣＩＥ色度図上の同様の距離が同様の知覚される色差を表すように修正されたものである。これらの図は、色を色の加重和として定義するための有用な基準を提供する。
【０００４】
１９７６ＣＩＥ色度図では、人間の視覚認知の差を考慮するスケーリングされたｕパラメータ及びｖパラメータを使用して色度値がプロットされている。すなわち、人間の視覚系は、他の波長よりも特定の波長に敏感である。例えば、人間の視覚系は、赤色光よりも緑色光に敏感である。１９７６ＣＩＥｕ’ｖ’色度図は、図におけるある色度点から別の色度点までの数学的距離が、これらの２つの色度点間における人間の観察者が知覚する色差に比例するようにスケーリングされている。ある色度点から別の色度点までの数学的距離が、２つの色度点間における人間の観察者が知覚する色差に比例する色度図のことを、知覚的色度空間と呼ぶことができる。対照的に、１９３１ＣＩＥ色度図などの非知覚的色度図では、顕著な違いのない２つの色の方が、顕著な違いのある２つの色よりもグラフ上に遠く離れて位置する場合がある。
【０００５】
図１に示すように、１９３１ＣＩＥ色度図上の（図中にグレーで表す）色は、概ねＵ字形の領域に含まれるｘ座標及びｙ座標（すなわち、色度座標又は色点）によって定められる。この領域の外側又はその近くの色は、単一の波長又は非常に小さな波長分布の光で構成された飽和色である。この領域の内側の色は、異なる波長の混合物で構成された不飽和色である。一般に、多くの異なる波長の混合とすることができる白色光は、図の中心付近の、図１に１００で示す領域内に存在する。領域１００のサイズから明らかなように、多くの異なる光の色相を「白色」と見なすことができる。例えば、ナトリウム蒸気照明デバイスによって生成された光などのように、色が黄色っぽく見える「白色」光もあれば、いくつかの蛍光照明デバイスによって生成された光などのように、色が青っぽく見える「白色」光もある。
【０００６】
白色領域１００よりも上方の領域１０１、１０２及び１０３内には、一般に緑色に見える光がプロットされ、白色領域１００よりも下方の光は、一般にピンク、紫又はマゼンタに見える。例えば、図１の領域１０４及び１０５にプロットされた光は、一般にマゼンタ（すなわち、赤紫又は紫がかった赤）に見える。
【０００７】
２つの異なる光源からの光を２つ組み合わせると、これらの２つの成分色のいずれとも異なる色を有するように見える場合があることがさらに知られている。この結合光の色は、２つの光源の相対強度に依存することができる。例えば、青色光源と赤色光源の組み合わせによって発光される光は、観察者には紫又はマゼンタに見えることがある。同様に、青色光源と黄色光源の組み合わせによって発光される光は、観察者には白色に見えることがある。
【０００８】
また、図１には、様々な温度に加熱された黒体輻射体により発光された光の色点の場所に対応する黒体軌跡１０６も示している。詳細には、図１は、黒体軌跡に沿った温度列挙を含む。これらの温度列挙は、このような温度に加熱された黒体輻射体により発光された光の色の経路を示すものである。黒体輻射体のピーク輻射に関連する波長は、温度が上がるにつれて次第に短くなるため、被加熱物体は、白熱するにつれて、最初は赤みを帯び、その後黄色がかり、その後白くなり、最後に青っぽくなる。従って、黒体軌跡上又はその近くにある光を生成する発光体については、相関色温度（ＣＣＴ）の観点から説明することができる。
【０００９】
特定の光源の色度のことを、光源の「色点」と呼ぶことができる。白色光源では、この色度を光源の「白色点」と呼ぶことができる。上述したように、白色光源の白色点は、黒体軌跡に沿って存在することができる。従って、光源の相関色温度（ＣＣＴ）によって白色点を識別することができる。通常、白色光のＣＣＴは、約２０００Ｋ〜１００００Ｋの間である。ＣＣＴが３０００Ｋの白色光は、色が黄色っぽく見えることがあり、一方でＣＣＴが８０００Ｋの光は、色がより青っぽく見えることがある。黒体軌跡上又はその近くにある約２５００Ｋ〜８０００Ｋの間の色温度の色座標は、観察者に心地良い白色光をもたらすことができる。
【００１０】
「白色」光は、黒体軌跡の近くに存在するがその真上には存在しない光も含む。１９３１ＣＩＥ色度図上でマクアダム楕円を使用すると、人間の観察者には同じに又は実質的に同様に見えるほど密接に関連する色点を識別することができる。マクアダム楕円は、中心点と視覚的に区別できない全ての点を含む、１９３１ＣＩＥ色度図などの２次元色度空間内の中心点を中心とする閉領域である。７段階マクアダム楕円は、通常の観察者が区別できない７標準偏差内の点を捕捉し、１０段階マクアダム楕円は、通常の観察者が区別できない１０標準偏差内の点を捕捉し、他も同様である。従って、黒体軌跡上の点の１０段階マクアダム楕円内にある色点を有する光は、黒体軌跡上の点と同じ色を有していると見なすことができる。
【００１１】
通常、被照明物体の色を正確に再現する光源の能力は、演色評価数（ＣＲＩ）を使用して特徴付けられる。具体的には、ＣＲＩは、照明系の演色性が基準発光体の演色性にいかに匹敵するかについての相対測定であり、ＣＣＴが５０００Ｋ未満の場合の基準発光体は黒体放射体である。５０００Ｋ以上のＣＣＴでは、基準発光体は、地表面における日光のスペクトルと同様のＣＩＥにより定められるスペクトルである。照明系により照明されている試験色の組の色座標が、基準発光体により照射されている同じ試験色の座標と同じである場合、ＣＲＩは１００に等しい。日光のＣＲＩが最も高く（１００）、白熱球はこれに比較的近く（約９５）、蛍光照明は精度が低い（７０〜８５）。
【００１２】
一般的に言えば、白熱電球は、従来の他のタイプの照明デバイスよりも自然に見える照明をもたらす傾向にある。具体的には、白熱電球は、通常、最高輝度における約２７００Ｋの色温度から、５％輝度における約２０００ｋの色温度、及び約１％輝度における約１８００Ｋの色温度まで変化する。このことは、真昼の約６５００Ｋから日の出及び日没時の約２５００ｋまで変化する日光に好意的に例えられる。調査によれば、低い輝度レベル及びくつろげる環境では、人々はより暖かい色温度を好む傾向にあるとされる。Ｖａｎ  Ｄｅ  Ｖｅｎ他に付与された米国特許第７，２１３，９４０号には、不飽和の黄色（青色寄りの黄色（ＢＳＹ）ＬＥＤと飽和した赤色ＬＥＤからの光とを組み合わせることによって暖かい白色光を生成できるＬＥＤを使用した照明デバイスが記載されている。
【００１３】
照明用途では、多くの場合、白熱照明の挙動に近い色挙動の光を生成する照明光源を提供することが望ましい。Ｌｙｓ他に付与された米国特許第７，０３８，３９９号に記載されるように、ＡＣ調光回路に結合でき、生成された光の輝度が調光回路によって増減された時に従来の白熱照明の照明変動に近似するＬＥＤ照明ユニットが提案されている。
【００１４】
複数の固体デバイスを含む固体照明系の１つの難点は、一般にＬＥＤの製造過程によって個々のＬＥＤにばらつきが生じる点である。通常、このばらつきは、ＬＥＤを輝度及び／又は色点に基づいてビン分け又はグループ化し、所定の特性を有するＬＥＤのみを選択して固体照明系に含めるようにすることにより対処されている。ＬＥＤ照明デバイスは、１つのＬＥＤビンを利用して、又は異なるビンから適合するＬＥＤの組を組み合わせて、ＬＥＤの出力を組み合わせるために反復可能な色点を実現することができる。
【００１５】
同一出願人による米国特許出願公開第２００９／０１６０３６３号には、照明器具の色点を調整する１つの技術が記載されており、この特許出願の開示は引用により本明細書に組み入れられる。第２００９／０１６０３６３号出願には、蛍光体変換されたＬＥＤと赤色ＬＥＤを組み合わせて白色光を提供するシステムが記載されている。製造時に光の出力を測定した後に、所望の色点に至るようにストリング電流を調整することにより、ＬＥＤの様々な混合色の比率を設定する。その後、特定の照明デバイスの所望の色点を実現する電流レベルを決定する。米国特許出願公開第２００７／０１１５６６２号（代理人整理番号５３０８−６３２）、及び米国特許出願公開第２００７／０１  １５２２８号（代理人整理番号５３０８−６３２ＩＰ）には、フィードバックを使用して所望の色点を取得するＬＥＤ照明系が記載されており、これらの特許出願の開示は引用により本明細書に組み入れられる。
【先行技術文献】
【特許文献】
【００１６】
【特許文献１】米国特許第７，０３８，３９９号明細書
【特許文献２】米国特許第７，２１３，９４０号明細書
【特許文献３】米国特許出願公開第２００９／０１６０３６３号明細書
【特許文献４】米国特許出願公開第２００７／０１１５６６２号明細書
【特許文献５】米国特許出願公開第２００７／０１０１５２２８号明細書
【特許文献６】米国特許出願第１２／５６６，１９５号明細書
【特許文献７】米国特許出願第１２／７０４，７３０号明細書
【特許文献８】米国特許出願第１２／５６６，１４２号明細書
【特許文献９】米国特許第７，８２１，１９４号明細書
【特許文献１０】米国特許出願第１２／７０４／７３０号明細書
【発明の概要】
【発明が解決しようとする課題】
【００１７】
いくつかの実施形態では、第１の端子と第２の端子の間に結合され直列に接続された発光ダイオード（ＬＥＤ）のストリングを含む照明装置を提供する。このストリングは、第１の色度を有する第１のＬＥＤの組と、第１の色度とは異なる第２の色度を有する第２のＬＥＤの組とを含む。装置は、制御回路をさらに含み、この制御回路は、ストリングに動作可能に結合され、第１の端子と第２の端子の間を通る総電流の変化に応答して、ストリングによって生じる色温度を変化させるように構成される。いくつかの実施形態では、制御回路が、調光器の制御入力信号に応答して総電流を制御するように構成される。
【００１８】
いくつかの実施形態では、制御回路が、総電流が変化するにつれて色温度が変化するように、総電流に応答して、第１及び第２のＬＥＤの組を通る電流を差別的に変化させるように構成される。制御回路は、総電流が変化するにつれて色温度が変化するように、総電流に応答して、第１のＬＥＤの組を避けて第２のＬＥＤの組に対して差別的に電流を迂回させるように構成されたバイパス回路を含むことができる。このバイパス回路は、総電流が減少するにつれて色温度が減少するように、総電流に応答して、第１のＬＥＤの組を避けて第２のＬＥＤの組に対して差別的に電流を迂回させるように構成することができる。バイパス回路は、例えば、第１のＬＥＤの組の少なくとも１つのＬＥＤと並列に結合された少なくとも１つの抵抗器を含むことができる。さらなる実施形態では、バイパス回路が、可変抵抗回路及び／又はスイッチング回路を含むことができる。
【００１９】
いくつかの実施形態では、第１のＬＥＤの組が、第１の青色寄りの黄色（ＢＳＹ）ＬＥＤの組を含み、第２のＬＥＤの組が、第２のＢＳＹ  ＬＥＤの組を含む。ストリングは、第１及び第２のＢＳＹ  ＬＥＤの組と直列に結合された赤色ＬＥＤの組をさらに含む。
【００２０】
いくつかの実施形態では、制御回路を、色温度を黒体軌跡に一致させるように構成することができる。例えば、制御回路を、色温度を黒体軌跡の少なくとも１０段階マクアダム楕円内に一致させるように構成することができる。
【００２１】
さらなる実施形態では、制御回路を、総電流に応答して、複数のＬＥＤによって生じる色温度を、約８０％よりも高い演色評価数（ＣＲＩ）を維持しながら約６５００Ｋ〜約１５００Ｋの範囲にわたって変化させるように構成することができる。例えば、制御回路及び複数の発光デバイスは、最大輝度レベルと最大輝度レベルの約５％との間の輝度レベルに関して約９０％よりも高いＣＲＩを維持するように構成することができる。
【００２２】
さらなる実施形態では、制御回路を、総電流の第１の範囲にわたってほぼ一定の色温度をもたらし、総電流の第２の範囲にわたって色温度を黒体軌跡に一致させるように構成することができる。総電流の第１の範囲は、最大輝度レベルと最大輝度レベルの約５％との間の輝度レベルの範囲に対応することができる。
【００２３】
本発明主題のさらなる実施形態は、少なくとも１つの赤色発光デバイスと、第１のＢＳＹ出力を有する少なくとも１つのＢＳＹ発光デバイスと、黄色又は緑色成分が第１のＢＳＹ出力よりも多い第２のＢＳＹ出力を有する少なくとも１つのＢＳＹ発光デバイスとを含む複数の発光デバイスを含む照明装置を提供する。この装置は、制御回路をさらに含み、この制御回路は、複数の発光デバイスに動作可能に結合され、調光制御入力に応答して、複数の発光デバイスによって生じる色温度をほぼ黒体軌跡に一致して変化させるように構成される。制御回路は、色温度を黒体軌跡の少なくとも１０段階マクアダム楕円内に一致させるように構成することができる。
【００２４】
いくつかの実施形態では、制御回路を、調光制御入力が輝度の減少を命令したことに応答して、第１のＢＳＹ出力を有する少なくとも１つの光ＢＳＹ発光デバイスを通る電流を、第２のＢＳＹ出力を有する少なくとも１つのＢＳＹ発光デバイスを通る電流に比べて優先的に減少させるように構成することができる。制御回路は、調光制御入力に応答して、複数のＬＥＤによって生じる色温度を、約８０％よりも高い演色評価数（ＣＲＩ）を維持しながら約３０００Ｋ〜約１８００Ｋの範囲にわたって変化させるように構成することができる。制御回路及び複数の発光デバイスは、最大輝度レベルと最大輝度レベルの約５％との間の輝度レベルに関して約９０％よりも高いＣＲＩを維持するように構成することができる。
【００２５】
いくつかの実施形態では、第１の端子と第２の端子の間に結合された発光デバイスのストリング内で、少なくとも１つの赤色発光デバイス、第１のＢＳＹ出力を有する少なくとも１つのＢＳＹ発光デバイス、及び黄色成分が第１のＢＳＹ出力よりも多い第２のＢＳＹ出力を有する少なくとも１つのＢＳＹ発光デバイスを直列に接続することができる。制御回路は、第１の端子と第２の端子の間を通る総電流の変化に応答して、ストリングによって生じる色温度を変化させるように構成することができる。
【００２６】
さらなる実施形態では、制御回路を、第１の輝度レベル範囲にわたってほぼ一定の色温度を提供し、第２の輝度レベル範囲にわたって色温度を黒体軌跡に一致させるように構成することができる。例えば、第１の輝度レベル範囲は、最大輝度レベルと最大輝度レベルの約２０％との間の輝度レベル範囲とすることができる。
【００２７】
本発明主題のさらに別の実施形態では、照明装置が、少なくとも３つの異なる色度を有する発光デバイスを含む複数の発光デバイスと、複数の発光デバイスに動作可能に結合され、調光制御入力に応答して、複数の発光デバイスによって生じる色温度を、約８０％よりも高い演色評価数（ＣＲＩ）を維持しながら約５０００Ｋ〜約２０００Ｋの範囲にわたって変化させるように構成された制御回路とを含む。例えば、制御回路及び複数の発光デバイスは、最大輝度レベルと最大輝度レベルの約２０％との間の輝度レベルに関して約９０％よりも高いＣＲＩを維持するように構成することができる。
【００２８】
いくつかの実施形態では、複数の発光デバイスが、第１のＢＳＹ出力を有する少なくとも１つのＢＳＹ発光デバイスと、黄色成分が第１のＢＳＹ出力よりも多い第２のＢＳＹ出力を有する少なくとも１つのＢＳＹ発光デバイスと、少なくとも１つの赤色発光デバイスとを含むことができる。複数の発光デバイスは、第１の色度を有する第１の発光デバイスの組と、第１の色度とは異なる第２の色度を有する第２の発光デバイスの組とを含む、第１の端子と第２の端子の間に結合された直列に接続された発光デバイスのストリングを含むことができる。制御回路は、第１の端子と第２の端子の間を通る総電流の変化に応答して、ストリングによって生じる色温度を変化させるように構成された、ストリングに動作可能に結合された制御回路を含むことができる。直列に接続された発光デバイスのストリングは、第１のＢＳＹ出力を有する少なくとも１つのＢＳＹ発光デバイスと、黄色成分が第１のＢＳＹ出力よりも多い第２のＢＳＹ出力を有する少なくとも１つのＢＳＹ発光デバイスとを含むことができる。
【００２９】
さらなる実施形態では、制御回路を、第１の輝度レベル範囲にわたってほぼ一定の色温度を提供し、第２の輝度レベル範囲にわたって色温度を黒体軌跡に一致させるように構成することができる。第１の輝度レベル範囲は、例えば最大輝度レベルと最大輝度レベルの約２０％との間の輝度レベル範囲とすることができる。
【００３０】
さらなる実施形態では、照明装置が、ほぼ重複する出力スペクトル及びそれぞれの第１及び第２の異なる色度範囲に含まれる色度を有する第１及び第２の発光デバイスの組を含む複数の発光デバイスと、複数の発光デバイスに動作可能に結合され、調光制御入力に応答して第１及び第２の発光デバイスの組を差別的に動作させるように構成された制御回路とを含む。第１及び第２の発光デバイスの組は、第１の端子と第２の端子の間に直列に接続されたＬＥＤのストリング内の第１及び第２のＬＥＤの組を含むことができる。制御回路は、第１の端子と第２の端子の間を通る総電流に応答して、第１及び第２のＬＥＤの組を通る電流を差別的に変化させるように構成することができる。例えば、制御回路は、総電流に応答して、第１のＬＥＤの組を避けて第２の組に対して差別的に電流を迂回させるように構成されたバイパス回路を含むことができる。
【００３１】
本発明をさらに理解できるように本出願に含め、組み入れてその一部を成す添付図面に本発明のいくつかの実施形態を示す。
【図面の簡単な説明】
【００３２】
【図１】黒体軌跡を示す色度図である。
【図２Ａ】本発明主題のいくつかの実施形態による固体照明装置を示す図である。
【図２Ｂ】本発明主題のいくつかの実施形態による固体照明装置を示す図である。
【図３】青色寄りの黄色の色度領域を示す色度図である。
【図４】本発明主題のいくつかの実施形態による照明装置を示す概略図である。
【図５】本発明主題のいくつかの実施形態による、直列に接続されたＬＥＤと選択的バイパス回路とを含む照明装置を示す概略図である。
【図６】本発明主題のさらなる実施形態による、直列に接続されたＬＥＤと抵抗分路とを含む照明装置を示す概略図である。
【図７】本発明主題のいくつかの実施形態による、調光器の制御入力に応答して色温度を調整するように構成された照明装置を示す概略図である。
【図８】本発明主題のいくつかの実施形態による、照明装置内の色温度制御を示すグラフである。
【図９】本発明主題のさらなる実施形態による、照明装置内の色温度制御の例を示すグラフである。
【図１０】本発明主題のいくつかの実施形態による、パルス幅変調バイパス回路と直列に接続されたＬＥＤを含む照明装置を示す概略図である。
【図１１】本発明主題のいくつかの実施形態による、線形バイパス回路と直列に接続されたＬＥＤを含む照明装置を示す概略図である。
【図１２】本発明主題のいくつかの実施形態による、照明装置内の輝度レベル範囲にわたる演色性能を示すグラフである。
【図１３】本発明主題のいくつかの実施形態による、直列に接続されたＬＥＤと選択的バイパス回路とを含む照明装置を示す概略図である。
【図１４】本発明主題のさらなる実施形態による、直列に接続されたＬＥＤと選択的バイパス回路とを含む照明装置を示す概略図である。
【図１５】本発明主題のいくつかの実施形態による、選択的バイパス回路と共に複数のＬＥＤストリングを含む照明装置を示す概略図である。
【図１６】本発明主題のいくつかの実施形態による、ＬＥＤ選択の範囲を示す色度グラフである。
【発明を実施するための形態】
【００３３】
以下、本発明の実施形態を示す添付図面を参照しながら、本発明の実施形態についてより詳細に説明する。しかしながら、本発明は、多くの異なる形で具体化することができ、本明細書に示す実施形態に限定されると解釈すべきでない。むしろ、これらの実施形態は、本開示を徹底的かつ完全なものにするとともに、本発明の範囲を当業者に完全に伝えるように示すものである。全体を通じて同じ数字は同様の要素を示す。
【００３４】
以下、本発明主題の実施形態を示す添付図面を参照しながら、本発明主題の実施形態についてより詳細に説明する。しかしながら、本発明主題は、多くの異なる形で具体化することができ、本明細書に示す実施形態に限定されると解釈すべきでない。むしろ、これらの実施形態は、本開示を徹底的かつ完全なものにするとともに、本発明主題の範囲を当業者に完全に伝えるように示すものである。全体を通じて同じ数字は同様の要素を示す。
【００３５】
本明細書では、第１の、第２の、などの用語を使用して様々な要素を説明することがあるが、これらの要素をこれらの用語によって限定すべきではないと理解されたい。これらの用語は、要素を互いに区別するために使用するものにすぎない。例えば、本発明主題の範囲から逸脱することなく、第１の要素を第２の要素と呼ぶことができ、同様に第２の要素を第１の要素と呼ぶことができる。本明細書で使用する「及び／又は（ａｎｄ／ｏｒ）」という用語は、関連する記載項目の１つ又はそれ以上のありとあらゆる組み合わせを含む。
【００３６】
ある要素が別の要素に「接続（ｃｏｎｎｅｃｔｅｄ）」又は「結合（ｃｏｕｐｌｅｄ）」されていると言う場合、この要素は他の要素に直接接続又は結合している場合もあれば、或いは介在要素が存在する場合もあると理解されたい。対照的に、ある要素が別の要素に「直接接続（ｄｉｒｅｃｔｌｙ  ｃｏｎｎｅｃｔｅｄ）」又は「直接結合（ｄｉｒｅｃｔｌｙ  ｃｏｕｐｌｅｄ）」されていると言う場合、介在要素は存在しない。
【００３７】
本明細書で使用する専門用語は、特定の実施形態を説明するためのものにすぎず、本発明主題を限定することを意図するものではない。本明細書で使用する単数形の「１つの（英文不定冠詞）」及び「その（英文定冠詞）」は、その文脈で別様に明確に示していない限り、複数形も含むことが意図される。「備える・含む（ｃｏｍｐｒｉｓｅｓ、ｃｏｍｐｒｉｓｉｎｇ、ｉｎｃｌｕｄｅｓ及び／又はｉｎｃｌｕｄｉｎｇ）」という用語は、本明細書で使用する場合、上述した特徴、整数、ステップ、動作、要素、及び／又は構成部品の存在を示すが、１又はそれ以上の他の特徴、整数、ステップ、動作、要素、構成部品、及び／又はこれらの群の存在又は追加を除外するものではない。
【００３８】
特に定めがない限り、本明細書で使用する（技術用語及び科学用語を含む）全ての用語は、本発明主題が属する技術の当業者が一般に理解している意味と同じ意味を有する。本明細書で使用する用語は、本明細書及び関連技術との関連におけるこれらの意味に従う意味を有すると解釈すべきであり、本明細書で明確に定義しない限り、理想的な又は過度に形式的な意味で解釈されるものではないと理解されたい。本明細書では、「複数」という用語は、言及する項目が２つ又はそれ以上存在することを意味するために使用するものである。
【００３９】
以下の本発明主題のいくつかの実施形態の説明では「発光デバイス」について言及するが、この用語は、限定ではないが、発光ダイオード（ＬＥＤ）デバイスなどの固体照明デバイスを含むことができる。本明細書で使用する「ＬＥＤ」は、以下に限定されるわけではないが、ＰＮ接合部を横切って電圧が印加された時に光を生成する直接発光デバイス、及びこのような直接発光デバイスと、直接発光デバイスなどの放射線源により励起された時に可視光放射線を放出する蛍光体などの発光材料との組み合わせを含む。
【００４０】
本発明の実施形態は、固体照明デバイスを制御するためのシステム及び方法、並びにこのようなシステム及び／又は方法を組み込んだ照明装置を提供する。いくつかの実施形態では、「制御可能なバイパス回路を有する固体照明装置及びその操作方法（Ｓｏｌｉｄ  Ｓｔａｔｅ  Ｌｉｇｈｔｉｎｇ  Ａｐｐａｒａｔｕｓ  ｗｉｔｈ  Ｃｏｎｔｒｏｌｌａｂｌｅ  Ｂｙｐａｓｓ  Ｃｉｒｃｕｉｔｓ  ａｎｄ  Ｍｅｔｈｏｄｓ  ｏｆ  Ｏｐｅｒａｔｉｎｇ  Ｔｈｅｒｅｏｆ）」という名称の同一出願人による同時係属中の米国特許出願第１２／５６６，１９５号（代理人整理番号５３０８−１１２８）、「補償バイパス回路を有する固体照明装置及びその操作方法（Ｓｏｌｉｄ  Ｓｔａｔｅ  Ｌｉｇｈｔｉｎｇ  Ａｐｐａｒａｔｕｓ  ｗｉｔｈ  Ｃｏｍｐｅｎｓａｔｉｏｎ  Ｂｙｐａｓｓ  Ｃｉｒｃｕｉｔｓ  ａｎｄ  Ｍｅｔｈｏｄｓ  ｏｆ  Ｏｐｅｒａｔｉｏｎ  Ｔｈｅｒｅｏｆ）」という名称の同一出願人による同時係属中の米国特許出願第１２／７０４，７３０号（代理人整理番号５３０８−１１２８ＩＰ）、及び「構成可能な分路を有する固体照明装置（Ｓｏｌｉｄ  Ｓｔａｔｅ  Ｌｉｇｈｔｉｎｇ  Ａｐｐａｒａｔｕｓ  ｗｉｔｈ  Ｃｏｎｆｉｇｕｒａｂｌｅ  Ｓｈｕｎｔｓ）」という名称の同一出願人による同時係属中の米国特許出願第１２／５６６，１４２号（代理人整理番号５３０８−１０９１）に記載されているようなバイパス回路に関連して本発明を利用することができ、これらの特許出願の開示は引用により本明細書に組み入れられる。
【００４１】
図２Ａ及び図２Ｂを参照すると、いくつかの実施形態による照明装置１０を示している。図２Ａ及び図２Ｂに示す照明装置１０は、一般照明用途においてダウンライト又はスポットライトとして使用するのに適することができる「埋込み式ダウンライト」又は「缶」型照明器具である。しかしながら、いくつかの実施形態による照明装置は、異なるフォームファクタを有することができると理解されるであろう。例えば、いくつかの実施形態による照明装置は、従来の電球の形状、パンライト又はトレイライトの形状、車のヘッドランプの形状、又はその他のあらゆる好適な形状を有することができる。
【００４２】
一般に、照明装置１０は、内部に照明パネル２０が配置された缶型の外側ハウジング１２を含む。図２Ａ及び図２Ｂに示す実施形態では、照明パネル２０が、円筒形ハウジング１１２の内部に収まるように略円形形状を有する。照明パネル２０上に取り付けられた固体照明デバイス（ＬＥＤ）２２によって光が生成され、このＬＥＤ２２は、ハウジング１２の端部に取り付けられた拡散レンズ１４に向けて光１５を放射するように構成される。このレンズ１４を介して拡散光１７が放射される。いくつかの実施形態では、レンズ１１４が放射光１５を拡散せずに、放射光１５を所望の近視野又は遠視野パターンで方向変更及び／又は集光することができる。ＬＥＤ２２は、以下で詳細に説明する様々な技術を使用して所望の強度、相関色温度（ＣＣＴ）及び／又は演色評価数（ＣＲＴ）を生じるように選択的に制御できる異なる色度のＬＥＤを含むことができる。
【００４３】
本発明主題のいくつかの実施形態によれば、照明装置が、スペクトル出力は大幅に重複するものの色度は明確に異なる少なくとも２組の発光デバイスの組み合わせを含み、これらの組の出力強度を差別的に制御することにより、ＡＣ位相カット信号、アナログ調光信号及び／又はデジタル調光信号などの調光制御入力に応答して、所望の色温度及び／又は白熱灯の挙動への近似などのその他の特性を生じるようにすることができる。例えば、いくつかの実施形態では、照明装置が、少なくとも１つの赤色発光デバイス、第１のＢＳＹ出力を有する少なくとも１つの青色寄りの黄色（ＢＳＹ）発光デバイス、及び第１のＢＳＹ出力よりも黄色成分の多い第２のＢＳＹ出力を有する少なくとも１つのＢＳＹ発光デバイスを含むことができる。これらの様々な発光デバイスは、調光制御入力に応答して、発光デバイスによって生じる色温度が黒体軌跡にほぼ一致して変化するように選択的に制御することができる。いくつかの実施形態では、照明装置が、第１の端子と第２の端子の間に結合され直列に接続された発光ダイオード（ＬＥＤ）のストリングを含むことができる。このストリングは、例えば第１の色度を生じる第１のＢＳＹ  ＬＥＤの組などの、第１の色度を有する第１のＬＥＤの組と、例えば第１のＢＳＹ  ＬＥＤの組よりも黄色に近い第２の色度を有する第２のＢＳＹ  ＬＥＤの組などの、第１の色度とは異なる第２の色度を有する第２のＬＥＤの組とを含むことができる。制御回路は、調光制御入力に対応できる第１の端子と第２の端子の間を通る総電流の変化に応答して、ストリングによって生じる色温度を変化させることができる。さらなる実施形態によれば、このような照明装置を、特定の輝度レベル範囲にわたって所望の演色評価数（ＣＲＩ）を維持するように構成することができる。
【００４４】
いくつかの実施形態では、照明装置が、所望の色度、色温度、演色評価数又はその他の特性の光を生成するために他の色発光体と組み合わせて使用される青色寄りの黄色（ＢＳＹ）発光デバイスを含むことができる。このようなＢＳＹデバイスは、例えば、２００７年５月８日に取得された「照明デバイス及び照明方法（ＬＩＧＨＴＩＮＧ  ＤＥＶＩＣＥ  ＡＮＤ  ＬＩＧＨＴＩＮＧ  ＭＥＴＨＯＤ）」という名称の米国特許第７，２１３，９４０号に記載されるような青色励起ダイオードと蛍光体の組み合わせを含むＬＥＤデバイスを含むことができ、この特許の開示は引用により本明細書に組み入れられる。この米国特許第７，２１３，９４０号に記載されるように、照明デバイスは、４３０ｎｍ〜４８０ｎｍの範囲の主波長を有する光を発光する固体発光体（すなわち、ＬＥＤデバイス）と、５５５ｎｍ〜５８５ｎｍの範囲の主波長を有する光を発光する一群の蛍光体とを含むことができる。第１の発光体群による光と、蛍光体の群により発光された光とを組み合わせることにより、図３に示す１９３１ＣＩＥ色度図に大まかに領域３１０として示す１９３１ＣＩＥ色度図上のＢＳＹ領域内にｘ、ｙ色座標を有する光の下位混合物が生成される。２０１０年１０月２６日に取得された「光混合物を含む固体照明デバイス（ＳＯＬＩＤ  ＳＴＡＴＥ  ＬＩＧＨＴＩＮＧ  ＤＥＶＩＣＥＳ  ＩＮＣＬＵＤＩＮＧ  ＬＩＧＨＴ  ＭＩＸＴＵＲＥＳ）」という名称の米国特許第７，８２１，１９４号に記載されるように、このような非白色光を６００ｎｍ〜６３０ｎｍの主波長を有する光と組み合わせると温白色光を生成することができ、この特許の開示は引用により本明細書に組み入れられる。
【００４５】
さらに図３に示すように、本発明主題のいくつかの実施形態では、照明装置が、それぞれの異なる色度をＢＳＹ領域３１０内に有するこのようなＢＳＹ発光デバイスの２つ又はそれ以上の群を含むことができる。例えば、照明装置は、ＢＳＹ領域３１０の第１の小領域３１０ａに含まれる色度を有する第１のＢＳＹ  ＬＥＤの組、すなわち「青色に近い」ＢＳＹ  ＬＥＤの組と、ＢＳＹ領域３１０の第２の小領域３１０ｂに含まれる色度を有する第２のＢＳＹ  ＬＥＤの組、すなわち「黄色に近い」ＢＳＹ  ＬＥＤの組とを含むことができる。これらの異なるＢＳＹ  ＬＥＤの組は、調光制御入力に応答して、例えば所望の色温度性能をもたらすように選択的に制御することができる。
【００４６】
図１６に、青色に近いＢＳＹ  ＬＥＤ、黄色に近いＢＳＹ  ＬＥＤ及び赤色ＬＥＤの隣接領域を示すＬＥＤを選択できる色度チャートの領域１６００を示す。一般に、ＬＥＤの製造では色度のばらつきが示され、例えば多くのＢＳＹ  ＬＥＤ内のＬＥＤは色度が異なることがある。このようなＢＳＹ  ＬＥＤに関して「ビン」を定義することができ、例えば、それぞれのビンにそれぞれの色度値範囲を割り当て、これらの範囲のどこに該当するかに従ってＬＥＤを分類することができる。いくつかの実施形態では、第１のビンから青色に近いＢＳＹ  ＬＥＤを選択し、第２のビンから黄色に近いＢＳＹ  ＬＥＤを選択して、例えば第１のビンと第２のビンの間に０．００５又はそれ以上のｖ’変化が生じるようにすることができる。
【００４７】
図４に、いくつかの実施形態による照明装置４００を示す。照明装置４００は、青色に近いＢＳＹ出力を生じる少なくとも１つのＢＳＹデバイス４１０ａと、黄色に近いＢＳＹ出力を生じる少なくとも１つのＢＳＹデバイス４１０ｂとを含む複数の発光デバイス４１０を含む。装置４００は、少なくとも１つの赤色発光デバイス４１０ｃをさらに含む。制御回路４２０は、調光制御入力に応答して、（単複の）黄色に近いＢＳＹ発光デバイス４１０ａの強度に関連して（単複の）青色に近いＢＳＹ発光デバイス４１０ａの強度を変化させるように構成される。例えば、制御回路４２０は、装置により生成された光の相関色温度（ＣＣＴ）が色度の黒体軌跡にほぼ一致するように相対強度を変化させるよう構成することができる。このような挙動により、照明装置は、例えば白熱灯の色温度特性に近似できるようになる。さらなる実施形態では、制御回路４２０を、他の色温度挙動をもたらすように構成することもできる。例えば、装置の光出力が、調光器の制御入力範囲では最大輝度レベルの約２０％〜約１００％の輝度レベルなどの輝度レベル範囲に対応する比較的一定の色温度を維持し、より低い輝度レベル範囲では白熱灯の挙動に近似するように発光デバイス４１０を制御するよう制御回路４２０を構成することができる。
【００４８】
いくつかの実施形態によれば、ＢＳＹ  ＬＥＤのうちの選択されたＢＳＹ  ＬＥＤを迂回して、白熱灯照明及び／又は自然光に近似する強度で色温度の変化を生じるように構成された複数の直列結合されたＢＳＹ  ＬＥＤバイパス回路を含むＬＥＤ照明装置において、黒体軌跡との一致、例えば少なくとも黒体軌跡の１０段階マクアダム楕円内における一致を達成することができる。
【００４９】
例えば、図５に示すように、照明装置５００は、少なくとも１つの青色に近いＢＳＹ  ＬＥＤ５１０ａ及び少なくとも１つの黄色に近いＢＳＹ  ＬＥＤ５１０ｂを有するストリング５１０を含むことができる。ストリング５１０は、ＢＳＹ  ＬＥＤ５１０ａ、５１０ｂと直列に結合された少なくとも１つの赤色ＬＥＤ５１０ｃを含むこともでき、及び／又は別個のストリング又は他の回路内に、ＢＳＹ  ＬＥＤ５１０ａ、５２０ｂと組み合わせた光をもたらす１又はそれ以上の赤色ＬＥＤを設けることもできる。バイパス回路５２０は、ストリング５１０の第１の端子５０１と第２の端子５０２の間を通る総電流ｉtotalなどの調光制御入力に応答して、少なくとも１つの青色に近いＢＳＹ  ＬＥＤ５１０ａを選択的に迂回するように構成することができる。例えば、総電流ｉtotalは、位相カット調光器信号又はその他の調光制御信号などの信号に依存することができる。
【００５０】
図６に示すように、いくつかの実施形態による照明装置６００では、このような選択的バイパス回路が分路抵抗器Ｒshuntの形を取ることができる。総電流ｉtotalが減少すると、少なくとも１つの青色に近いＢＳＹ  ＬＥＤ５１０ａを通る電流との関連で分路抵抗器Ｒshuntを通る総電流ｉtotalの割合が増え、結果的に少なくとも１つの青色に近いＢＳＹ  ＬＥＤ５１０からの寄与が相対的に減少する。従って、装置５００により生成される光の色温度が減少して可視スペクトルの黄色／赤色部分の方にシフトし、調光時の白熱灯の挙動に酷似する「より暖かな」光が生成される。
【００５１】
図７に、本発明主題のさらなる実施形態によるこのような構成を示す。照明装置７００は、青色に近いＢＳＹ  ＬＥＤ７１０ａ、黄色に近いＢＳＹ  ＬＥＤ７１０ｂ及び赤色ＬＥＤ７１０ｃを含む直列結合されたＬＥＤのストリング７１０を含む。マイクロコントローラ７３０により制御されるスイッチ７２０を使用して、例えば所望の色点を、例えば調光器回路７４０によって命令された所与の輝度レベルなどに維持するように温度及びその他の補償を行うことができる。例えば、マイクロコントローラ７３０は、温度センサからの温度信号を受け取り、これに応答して赤色ＬＥＤ７１０ｃの１つ又はそれ以上を選択的に迂回することにより、赤色ＬＥＤ７１０ｃによって生じる光の相対的強度を増加又は減少させるように構成することができる。例えば、２０１０年２月１２日に出願された米国特許出願第１２／７０４／７３０号（代理人整理番号５３０８−１１２８ＩＰ）に、このような線路に沿った補償についての記載があり、この特許出願はその全体が引用により本明細書に組み込まれる。
【００５２】
装置７００は、ストリング７１０を通る総電流ｉｔｏｔａｌに応答して青色に近いＬＥＤ７１０ａを避けて電流を迂回させるように構成された分路抵抗器Ｒshuntをさらに含む。分路抵抗器Ｒshuntは、上述した線路に沿って、総電流ｉtotalの減少に応答して、装置７００の調光とともに装置７００によって生じる色温度が減少するように、青色に近いＬＥＤ７１０ａにより供給される照明の量を減少させるように作用することができる。ＬＥＤ７１０ａ、７１０ｂ、７１０ｃ及び分路抵抗器Ｒshuntの正しい選択を通じて、装置７００を、装置７００の輝度レベル範囲にわたって黒体軌跡にほぼ一致するように抑制することができる。ＬＥＤ７１０ａ、７１０ｂ、７１０ｃの様々な異なる相対数及び／又はそのスペクトル特性に関しても、このような性能を達成できると理解されるであろう。
【００５３】
図８に、最大（１００％）輝度と最大輝度の１％との間の輝度レベル範囲にわたる装置８００の色度性能曲線８１０を示す。図から分かるように、装置６００の曲線８１０は、輝度レベル範囲にわたって黒体軌跡８２０にほぼ一致する。具体的には、曲線８１０は、輝度範囲にわたって１０段階マクアダム楕円内に一致する。
【００５４】
図９には、６０Ｗの白熱灯の曲線９２０と比較した、装置７００の光束に関するシミュレートした協調色温度（ＣＣＴ）性能の曲線９１０を示す。
【００５５】
図１０には、装置６００の輝度値範囲にわたるシミュレートした演色評価数（ＣＲＴ）曲線１０１０を示す。図示のように、曲線１０１０は、最大輝度から最大輝度の約２０％までの輝度値範囲にわたって９０％を上回るＣＲＩ値を維持する。
【００５６】
さらなる実施形態によれば、図５及び図６を参照しながら上述したような分路抵抗器回路以外のバイパス回路を使用して、調光制御入力の範囲にわたって所望の色温度特性を達成することができる。例えば、図１１に示す照明装置１１００は、図４を参照しながら上述した線路に沿ったＢＳＹ及び赤色ＬＥＤ５１０ａ、５１０ｂ、５１０ｃのストリング５１０を含む。装置１１００は、調光制御入力に応答して、青色に近いＢＳＹ  ＬＥＤ５１０ａの組を避けて電流を可変的に迂回させるように構成されたバイパス回路１１１０をさらに含む。図示のように、バイパス回路１１１０は、調光制御入力に応答して制御回路１１１０により制御されるバイパススイッチ１１１２（例えば、電界効果トランジスタ（ＦＥＴ）又はその他の固体スイッチデバイス）を含む。制御回路１１１４は、例えばスイッチ１１１２の負荷サイクルを制御して、（単複の）ＬＥＤ５１０ａを避けて迂回される電流の量を制御するように構成することができる。例えば、輝度を減少させるための調光制御入力に応答して、スイッチ１１１２の負荷サイクルの「オン」期間を増加させることにより、より多くの平均電流が（単複の）青色に近いＢＳＹ  ＬＥＤ５１０ａを迂回して、装置１１００により生成される光の色温度が調光時に低下するようにすることができる。このような形で使用するように構成できる切り替え式バイパス回路は、上述した「制御可能なバイパス回路を有する固体照明装置及びその操作方法」という名称の米国特許出願第１２／５６６，１９５号（代理人整理番号５３０８−１１２８）、「補償バイパス回路を有する固体照明装置及びその操作方法」という名称の同一出願人による同時係属中の米国特許出願第１２／７０４，７３０号（代理人整理番号５３０８−１１２８ＩＰ）に記載されている。
【００５７】
図１２に、別の可変抵抗バイパス回路１２１０を有する照明装置１２００を示す。バイパス回路１２１０は、調光制御入力に応答して制御回路１２１４により線形制御されるトランジスタ１２１２（例えば、バイポーラ接合トランジスタ（ＢＪＴ））を含む。制御回路１２１４は、例えば、トランジスタ１２１２が与える抵抗を制御するように構成することができる。例えば、制御回路１２１４は、輝度を減少させるための調光制御入力に応答して、トランジスタ１２１２が与える抵抗を減少させることにより、より多くの量の電流が（単複の）青色に近いＢＳＹ  ＬＥＤ５１０ａを迂回して、装置１２００により生成される光の色温度が減少するようにすることができる。このような形で使用するように構成できる線形バイパス回路は、上述した「制御可能なバイパス回路を有する固体照明装置及びその操作方法」という名称の米国特許出願第１２／５６６，１９５号（代理人整理番号５３０８−１１２８）、「補償バイパス回路を有する固体照明装置及びその操作方法」という名称の同一出願人による同時係属中の米国特許出願第１２／７０４，７３０号（代理人整理番号５３０８−１１２８ＩＰ）に記載されている。
【００５８】
本発明主題のさらなる実施形態によれば、図１１及び図１２に示す装置１１００、１２００などの照明装置を、第１の輝度レベル範囲にわたって白熱ランプに近い色温度挙動をもたらし、第２の輝度レベル範囲にわたって異なる色温度挙動をもたらすように構成することができる。例えば、制御回路１１１０、１２１０などの制御回路を、高い輝度レベル範囲ではほぼ一定の色温度をもたらし、低い輝度レベルでは装置１１００、１２００によって生じる色温度を黒体軌跡に一致させて、例えばこれらの低い輝度レベルでは装置１１００、１２００を白熱灯又は自然光の挙動に近似させるように構成することができる。このようにして、照明装置は、高い輝度レベルでは作業照明などのためにほぼ一定の色温度をもたらし、低い輝度レベルではよりくつろげるムード照明をもたらすことができる。
【００５９】
さらなる実施形態では、他のバイパス回路構成を使用することができる。例えば、図１３に示すように、照明装置１３００は、図４を参照しながら上述したようなＢＳＹ及び赤色ＬＥＤ５１０ａ、５１０ｂ、５１０ｃのストリング５１０、並びに異なるＢＳＹ  ＬＥＤの組５１０ａ、５１０ｂのそれぞれを避けて電流を選択的に迂回させるように構成された第１及び第２のバイパス回路１３２０ａ、１３２０ｂを含むことができる。バイパス回路１３２０ａ、１３２０ｂは、例えば、異なるＢＳＹ  ＬＥＤの組５１０ａ、５１０ｂのための電流迂回特性をもたらして、上述した線路に沿った色温度制御をサポートするように構成することができる。さらなる実施形態では、バイパス回路を使用して、図５に示す青色に近いＢＳＹ  ＬＥＤの組５１０ａ及び／又は黄色に近いＢＳＹ  ＬＥＤの組５１０ｂの組などのＬＥＤ群のサブセットを避けて電流を迂回させることができる。いくつかの実施形態では、調光目的で色温度制御に使用するバイパス回路を、温度補償及び色点較正などの他の形の補償に使用することもできる。
【００６０】
さらなる実施形態によれば、上述した方法と同様の方法で、他の発光デバイスの組み合わせを色温度制御に使用することもできる。例えば、図１４に示すように、照明装置１４００は、第１の端子１４０１と第２の端子１４０２の間に直列に結合されたＬＥＤのストリング１４１０を含むことができる。ストリング１４１０は、１又はそれ以上の赤色ＬＥＤ１４１０ｃ、並びにイットリウムアルミニウムガーネット（ＹＡＧ）蛍光体と共に使用する１又はそれ以上の青色ＬＥＤ１４１０ａ及び１又はそれ以上のクールホワイトＬＥＤ１４１０ｂを含むことができる。青色ＬＥＤ／ＹＡＧ蛍光体の組み合わせを使用すると、青色に近いＢＳＹ成分をもたらすことができ、クールホワイト／ＹＡＧの組み合わせは、黄色に近いＢＳＹ成分をもたらすことができる。図４を参照しながら説明した装置と同様に、図１１及び図１２を参照しながら説明した線路に沿った分路抵抗器回路又は制御可能なバイパス回路などのバイパス回路を使用して、（単複の）青色ＬＥＤ１４１０ａを避けて電流を選択的に迂回させ、調光制御入力に応答して黒体軌跡との一致を実現できるようにすることができる。
【００６１】
さらなる実施形態によれば、図５を参照しながら上述した方法と同様の方法で、複数のＬＥＤストリングを使用することもできる。例えば、図１５に示す照明装置１５００では、第１のストリング１５１０が、青色に近いＢＳＹ  ＬＥＤ１５１０ａ及び黄色に近いＢＳＹ  ＬＥＤ１５１０ｂを含むことができ、ストリング１５１０の第１の端子１５０１と第２の端子１５０２の間を通る総電流ｉｔｏｔａｌに応答して、バイパス回路１５２０を使用して青色に近いＢＳＹ  ＬＥＤ１５１０ａを避けて電流を選択的に迂回させることができる。第２のストリング１５２０は、第３の端子１５０３と第４の端子１５０４の間に直列に接続された１又はそれ以上の赤色ＬＥＤ１５２０ａを含むことができる。２つのストリング１５１０、１５２０は、並列構成で接続すること及び／又は別個の回路によって給電することができると理解されるであろう。さらに、装置１５００は、温度補償及び／又は色点較正回路などのさらなる制御回路を含むことができると理解されるであろう。
【００６２】
図面及び明細書には、本発明の代表的な好ましい実施形態を開示しており、特定の用語を使用しているが、これらは限定を目的としたものではなく一般的及び説明的な意味で使用するものにすぎず、本発明の範囲は以下の特許請求の範囲に定められる。
【符号の説明】
【００６３】
１００  白色領域
１０１  領域
１０２  領域
１０３  領域
１０４  領域
１０５  領域
１０６  黒体軌跡
【図１】
0005941139.tif 000002
【図２Ａ】
0005941139.tif 000003
【図２Ｂ】
0005941139.tif 000004
【図３】
0005941139.tif 000005
【図４】
0005941139.tif 000006
【図５】
0005941139.tif 000007
【図６】
0005941139.tif 000008
【図７】
0005941139.tif 000009
【図８】
0005941139.tif 000010
【図９】
0005941139.tif 000011
【図１０】
0005941139.tif 000012
【図１１】
0005941139.tif 000013
【図１２】
0005941139.tif 000014
【図１３】
0005941139.tif 000015
【図１４】
0005941139.tif 000016
【図１５】
0005941139.tif 000017
【図１６】
0005941139.tif 000018